(57)【要約】      （修正有）【課題】アイロンやプレッサー等の特別な器具を別途用意することなく、ハンガー本体に装着された大型クリップでズボンの折り目を挟むという極めて簡便な方法により、ズボン折り目を保持、鮮明化できるハンガーを提供する。【解決手段】ドレッサー等の吊下棒に吊るしたハンガー本体のズボン吊りクリップ６にズボンを挟持し、逆さ吊りにした状態のズボンの前後の折り目にハンガー両肩部分に装着された６本の脱着式の折り目保持クリップ３を取り外して挟持することでズボンの折り目以外の部分に皺をつけることなく、折り目を保持、鮮明化する。【選択図】図１
0003219669.tif 000002
【実用新案登録請求の範囲】
【請求項１】
ハンガー本体肩部分に、バネクリップで脱着が可能な折り目保持クリップを複数個装着し、ズボンを吊るす際に、折り目保持クリップを取り外し、ズボン前後の折り目を挟持して使用することで、ズボン折り目を保持させるという特徴を持つズボン折り目保持クリップ付ハンガー。
【請求項２】
前記折り目保持クリップは、平らな挟持部分を有し、滑り止め素材が貼付されているという特徴を持つ請求項１記載のズボン折り目保持クリップ付ハンガー。
【考案の詳細な説明】
【技術分野】
【０００１】  本考案は、ハンガーの肩部分にズボンの折り目を保持、鮮明化させるための脱着式の大型クリップを装着したハンガーに関するものである。
【背景技術】
【０００２】  スラックス等のズボンは、一度履くと折り目が伸び、折り目が不鮮明となってしまい、折り目を保持、鮮明化するためには、アイロンをかける、又は、専用器具によるプレスを行っていた。
【先行技術文献】
【特許文献】
【０００３】
【特許文献１】特開２０００−３００８９６号  公報
【非特許文献】
【０００４】
【非特許文献１】「東芝  総合カタログ２０１８・１号  アイロン・衣料スチーマー  ズボンプレッサー」，東芝ライフスタイル株式会社，２０１８年，裏表紙
【考案の概要】
【考案が解決しようとする課題】
【０００５】  ズボンの折り目を保持、鮮明化する手段としてアイロンをかけることは、時間的、労働的負担である。又、プレッサー等の専用器具でプレスするのは、専用器具の購入、準備が必要であり、経済的負担であり、ズボン生地全体をプレスすることから折り目以外の生地に独特の皺が付きやすく、皺を付けずにプレスすることは非常に困難である。その上、プレスのための専用器具は非常に大きな形状となり移動性に乏しい。【０００６】  従って、クリップで挟持するという手段により折り目に限定してプレスすること、又、ズボン折り目を保持、鮮明化するクリップをハンガー本体に一体化することにより、前述の時間的、労働的、経済的、移動性の欠点を解決しようとするものである。
【課題を解決するための手段】
【０００７】  本考案は、ズボン折り目を保持、鮮明化するための脱着式の大型バネクリップをハンガー本体肩部分左右に３つずつ装着しており、ハンガーにズボンを吊るす際に、折り目保持クリップを本体肩部分から取り外し、ズボン折り目を挟持し装着するという簡便な方法でズボン折り目の大部分をプレスすることができ、且つ、クリップで折り目部分のみを挟持するというプレス方法であることから、他のズボン生地部分に皺を付けることがなく折り目を保持、鮮明化することができる。【０００８】  又、折り目保持クリップはバネにより挟んだ状態が維持されるため、使用時はズボン折り目を挟持した状態が維持されるが、未使用時はハンガー肩部分の固定具を挟持した状態で装着するため、ハンガー本体と一体化しコンパクトな形状となるため、移動性に富むという点で、問題点を解決している。
【考案の効果】
【０００９】  本考案は、通常のハンガーとして使用できることはもちろんのこと、上述の説明から明らかなように、次に列挙する効果が得られる。
（１）ハンガー本体にズボンを吊るす際に、ハンガー肩部分に６つ装着された折り目保持クリップを取り外し、ズボン前後の折り目を挟持し使用するため、ズボン折り目の保持、鮮明化のための作業における時間的、労働的負担を大幅に軽減する。
（２）前記（１）により、ズボンの折り目保持、鮮明化のためにアイロン、プレス機等の器具を別途用意する必要がないことから、経済的負担を軽減する。
（３）折り目保持クリップは、ズボン折り目部分のみに接触し狭持するため、他の部分に皺をつけることがない。
（４）折り目保持クリップは、ハンガー本体と同質の材料により成形されることから、その製作における費用抑制を実現し、販売時の価格を安価にすることができる。
（５）前記（１）により、ハンガー本体と折り目保持クリップは一体化しているため、移動性に富み場所を選ばず使用することが可能となる。
【図面の簡単な説明】
【００１０】
【図１】本考案のハンガー本体に折り目保持クリップを装着した状態の正面側斜視図である。
【図２】本考案のハンガー本体から折り目保持クリップを取外した状態の正面側斜視図である。
【図３】本考案の実施例を示す正面図である。
【図４】本考案のハンガー本体に折り目保持クリップを装着した状態の正面図、および折り目保持クリップ固定具に折り目保持クリップを装着した状態の断面図である。
【図５】本本考案の折り目保持クリップ固定具の正面図および断面図である。
【図６】本考案の折り目保持クリップの正面図、上面図、側面図である。
【考案を実施するための形態】
【００１１】  ハンガー本体フックは、３６０度回転できるよう肩軸棒および横軸棒に固定されており、ドレッサーなどの吊下棒の向きに限定されることなく、ハンガー本体を吊るすことが可能である。
【００１２】  ズボン吊りクリップはバネにより挟持した状態が維持されるため、ズボン折り目を前後とし左右の股下部分を重ね合わせ、裾を挟持し、逆さ吊りにした状態とする。
【００１３】  ハンガー本体肩部分左右に３つずつ装着された折り目保持クリップを取り外し、逆さ吊りにしたズボンの前部折り目に３つ、後部折り目に３つ、左右のズボン股下部分同時に上部（裾部分）から下部（股部分）へと縦に並べるように挟み取り付ける。
【００１４】  折り目保持クリップのズボン折り目に接触し挟持する部分には、フェルト等の滑り止めが装着されており、滑り止め部分で折り目を挟持し使用する。
【００１５】  ハンガー本体からズボンを取り外し履く際には、ズボンから折り目保持クリップを取り外し、ハンガー本体肩部分の折り目保持クリップ固定具に挟持し装着する。
【実施例】
【００１６】  以下、添付図面に従って一実施例を説明する。１はスチール等適宜素材にて形成されたハンガーのフックになり、耐久性プラスチック等適宜素材にて形成されたフック肩軸棒結合具２およびフック横軸棒結合具８と結合されており３６０度回転し、ドレッサーなどの吊下棒等に掛け、本体を吊り下げて使用する。【００１７】  ハンガー本体を吊下棒等に吊り下げ後、耐久性プラスチック等適宜素材で形成されたズボン吊りクリップ６に、ズボン折り目を前後とし左右股下部分を重ね合わせた状態で裾部分を挟み逆さに吊り下げる。【００１８】  ハンガー本体肩部分に装着された強化プラスチック等の適宜素材で形成された折り目保持クリップ３を左右３つずつ計６つ取り外し、ズボンの前部折り目に３つ、後部折り目に３つ、左右のズボン股下部分を重ねた状態で同時に上部（裾部分）から下部（股部分）へと縦に並べるように挟み取り付ける。【００１９】  折り目保持クリップ３のズボン折り目に接触し挟持する部分は、平らな形状をしており、フェルト等適宜素材で形成された滑り止め１０が装着されているので、滑り止め部分で折り目を挟持し使用する。【００２０】  ハンガー本体に逆さに吊りにし、折り目保持クリップ３を装着したズボンを履く際には、折り目保持クリップ３をズボンから取り外し、フック肩軸棒結合具２と耐久性プラスチック等適宜素材にて形成された肩軸棒横軸棒結合具５に結合されたスチール等適宜素材にて形成された肩軸棒４に装着された耐久性プラスチック等適宜素材にて形成された折り目保持クリップ固定具９の上部、前部、後部の３方向装着し、ズボン吊りクリップ６からズボンを取り外すことでズボンを履くことができる。【００２１】  本考案の一実施例は上述のごとき構成からなるものであるが、折り目保持クリップ３を折り目保持クリップ固定具９に装着した状態であっても、通常のハンガーとして用いることが可能である。
【符号の説明】
【００２２】  １    フック
２    フック肩軸棒結合具
３    折り目保持クリップ
４    肩軸棒
５    肩軸棒横軸棒結合具
６    ズボン吊りクリップ
７    横軸棒
８    フック横軸棒結合具
９    折り目保持クリップ固定具
１０  滑り止め
【図１】
0003219669.tif 000003
【図２】
0003219669.tif 000004
【図３】
0003219669.tif 000005
【図４】
0003219669.tif 000006
【図５】
0003219669.tif 000007
【図６】
0003219669.tif 000008